(57)【特許請求の範囲】
【請求項１】
携帯端末の分体相互を折り畳み可能に結合するヒンジ部にその軸心に沿って挿入配置する円筒状ジャックであって、
正面に開口し、軸心に沿って延長するプラグ挿入孔と、周側部に形成した周側部側接片部材の取付片及びコンタクト片を配するための取付凹部であって、その一部から該コンタクト片を該プラグ挿入孔に導入するコンタクト片導入口を備えた取付凹部と、前記プラグ挿入孔の後部側に構成した後部側接片部材を取り付けるための係止部とを備え、かつ絶縁性部材で構成した円筒状のハウジング、
前記取付凹部に配して該ハウジングに固定するための取付片と、該取付凹部から前記コンタクト片導入口を通じてプラグ挿入孔に導入延長し、該プラグ挿入孔に挿入されたプラグの対応する電極に接触するコンタクト片とを備え、かつ導電性バネ材で構成した周側部側接片部材、
及び前記ハウジングのプラグ挿入孔の後部側に構成した係止部に取り付ける後部側接片部材、
で構成した円筒状ジャック。
【請求項２】
前記周側部側接片部材の取付片を、前記ハウジングの周側部表面から突出しないように、前記取付凹部に配するように構成した請求項１の円筒状ジャック。
【請求項３】
前記取付凹部を、端子部を配するための端子部用凹部と、該端子部用凹部からハウジングの周方向に延びる、周側部側接片部材の取付片を配するための取付片用凹部と、ハウジングの周方向に延びる周側部側接片部材のコンタクト片を配するためのコンタクト片用凹部であって、その一部にコンタクト片のコンタクト部をプラグ挿入孔に臨ませるためのコンタクト片導入口を備えたコンタクト片用凹部と、で構成し、
前記周側部側接片部材を、端子部と、該端子部から前記ハウジングの周側に沿って延びる取付片と、該端子部の一部からプラグ挿入孔に臨むべく、前記コンタクト片導入口から前記プラグ挿入孔内に導入可能なように構成したコンタクト片と、で構成した請求項１又は２の円筒状ジャック。
【請求項４】
前記取付凹部を、周側部側接片部材の端子部を配するための端子部用凹部と、該端子部用凹部のハウジングの周方向の両側両端から各々周方向に延び、先端で相互に対面する方向に曲がる周側部側接片部材の取付片を配するための取付片用凹部と、該端子部用凹部のハウジングの周方向の両側中央部から各々周方向に延び、その先端で、該取付片用凹部の先端より該端子部用凹部寄りの位置に開口したコンタクト片導入口を備えたコンタクト片用凹部と、で構成し、
前記周側部側接片部材を、中央部の端子部と、該端子部の両側両端から各々前記ハウジングの周側を抱えるべく延長し、かつ各々同方向に延長した相互の先端に対面する方向に突出する係止片を形成してなる各二本の取付片と、該端子部の両側の各二本の取付片の間からプラグ挿入孔を挟むように延長し、前記コンタクト片導入口から前記プラグ挿入孔内に導入延長するコンタクト片と、で構成した請求項１又は２の円筒状ジャック。
【請求項５】
前記係止部を、前記プラグ挿入孔の後部側に周方向１８０度の角度間隔で構成した後部側接片部材の二つのコンタクト片の先端を係止する二つの先端係止部と、該二つの先端係止部を結ぶ仮想線と交差する他の仮想線上に位置する位置関係でプラグ挿入孔の後部側に形成した後部側接片部材の二つの取付片の各々を挿入する二つの取付溝であって、プラグ挿入孔側に開口する保持用突部導入口を備えた二つの取付溝と、で構成し、
前記後部側接片部材を、各々プラグ挿入孔の内周に沿って延長し、その途中に該プラグ挿入孔内に膨出するコンタクト部を形成し、かつその先端を前記係止部の先端係止部に係止するように構成した二つのコンタクト片と、各々該プラグ挿入孔の長さ方向に延長し、該プラグ挿入孔側に膨らむ保持用突部を備え、かつ前記取付溝に装入可能に構成した二つの取付片と、で構成した請求項１、２、３又は４の円筒状ジャック。
【請求項６】
前記係止部を、前記プラグ挿入孔の後部側内周に周方向１８０度の角度間隔で構成した二つの先端係止部であって、後部側接片部材の二つのコンタクト片の先端を、各々該プラグ挿入孔内へは移動不能とし、外方へは移動自由とするように係止する二つの先端係止部と、該二つの先端係止部を結ぶ仮想線と交差する他の仮想線上に位置する位置関係でプラグ挿入孔の後部側に形成した後部側接片部材の二つの取付片の各々を挿入する二つの取付溝と、で構成し、
該二つの取付溝（９）は、それぞれ前記プラグ挿入孔側に開く態様の、両側の側板状スリット部（９ｃ）とその間を繋ぐ底板状スリット部（９ｄ）からなる外広がり態様の樋状スリットに構成し、かつ該底板状スリット部（９ｄ）には、後部側接片部材（４）の底板部（４ｂ１）に構成した保持用突部（４ｂ４）をプラグ挿入孔側に突出させるべく、該プラグ挿入孔側に開口する保持用突部導入口（９ｂ）を開口し、
前記後部側接片部材を、ハウジングの背面側で前記プラグ挿入孔の軸心と交差する面内に位置する中央基部と、該中央基部の両側辺から各々該プラグ挿入孔の内周に沿って延長し、その途中を該プラグ挿入孔内に膨出させたコンタクト部に形成し、それらの先端を前記係止部の二つの先端係止部に係止させるように構成した二つのコンタクト片と、前記中央基部の該両コンタクト片を設けた辺と交差する向きの隣接する他の二辺から各々前記二つの取付溝（９）に挿入可能にすべく該プラグ挿入孔の長さ方向に延長して構成した二つの取付片（４ｂ）とで構成し、
該二つの取付片（４ｂ）は、前記取付溝（９）の側板状スリット部（９ｃ）に挿入可能な側板（４ｂ２）と、該取付溝（９）の底板状スリット部（９ｄ）に挿入可能な底板部（４ｂ１）とからなる、該プラグ挿入孔側に開く外広がり態様の樋状部材に構成し、かつ該底板部（４ｂ１）には、各々他の取付片（４ｂ）の底板部（４ｂ１）の保持用突部（４ｂ４）と共に該プラグ挿入孔に挿入されたプラグを保持する、該プラグ挿入孔側に膨らむ保持用突部（４ｂ４）を構成した請求項１、２、３又は４の円筒状ジャック。
【請求項７】
前記取付片の両側板の間の角度を、前記取付溝の両側板状スリット部の間の角度より小さい角度に構成し、該取付片を該取付溝に挿入した場合に、該取付片の両側板間が、その角度差分だけ開くことになり、その底板部がプラグ挿入孔側に膨らむこととなるように構成した請求項６の円筒状ジャック。
【請求項８】
前記周側部側接片部材を、二つ以上採用する場合に、その端子部を前記ハウジングの長さ方向に沿って直線状に配列することとした請求項３又は４の円筒状ジャック。
【発明の詳細な説明】
【技術分野】
【０００１】
本発明は、携帯端末で、オーディオ信号、その他の種々の信号、或いは電源の授受に用いられる円筒状ジャック、特に折り畳み式携帯端末のヒンジ部に挿入配置される円筒状ジャックに関する。
【背景技術】
【０００２】
携帯端末に於いて、イヤホンジャックその他のジャック類は一般的に端末本体の側部に搭載されて来た。そのため、端末本体の厚さが厚くなりがちであり、またユーザーが端末本体を手で持った場合に、該ジャックに挿入したプラグが邪魔になる場合が多い。そこで、折り畳み式の携帯電話等の携帯端末では、このような問題点を解決する趣旨で、その折り畳みのために利用されている蝶番部の軸部にジャックを挿入配置することが検討される余地がある。
【０００３】
特許文献１は、折りたたみ式携帯無線機に関するものであり、第１のボディと第２のボディを折り畳み自在に結合するヒンジ部と同軸上にイヤホン用ジャックを設けたものである。
【０００４】
この特許文献１には、その効果として、無線機本体への容量や実装面での圧迫無くイヤホンジャックを取り付けることが可能である旨の記述はある。しかし構成に関しては、上記の記述に加えて、ヒンジ部のヒンジ軸と同軸上にイヤホンジャックが設けてあると思われる図が示されているのみである。このような場合のイヤホンジャックの構成等に関しては何も明らかにしていない。
【０００５】
特許文献２は、携帯電話機に関するものであり、電話機用操作部と表示パネルとを有し、電話機の機能を備えている第１の半体部と、
裏面に電子式情報管理処理装置用操作部を有し、電子式情報管理処理装置の機能を備えている第２の半体部と、
該第１の半体部と該第２の半体部とを繋いでいるヒンジ部とよりなり、
通常は、該第２の半体部が該第１の半体部に重なって閉じられた状態にあり、この状態で使用可能であるスピーカ部とマイク部とを有し、
該第２の半体部が上記ヒンジ部に関して回動されて開かれて、上記電話機用操作部及び上記電子式情報管理処理装置用操作部が露出された状態とされる構成とし、
前記ヒンジ部の上部側の内部にアンテナを収容し、
前記ヒンジ部の下部側に、電源用プラグが差し込まれるジャックを有する構成としたものである。
【０００６】
この特許文献２でも、明細書中には、ヒンジ部の下側部にはジャックが設けてあるとの記述があるが、殆ど詳しい説明はない。最も詳しく示したと思われるのが、図１２であるが、これを見ても単にヒンジ部の末端にジャックを埋め込んだように見えるのみである。ジャックをヒンジ部に挿入配置する場合に生じる種々の問題に関しては何も述べるところがない。  
【０００７】
【特許文献１】実開平５−１１６０４号公報（請求項１、２、明細書及び図面）
【特許文献２】特開平１１−２５２２２６号公報（請求項４、段落０００７、００２２、００４４、００４５、００５８、図１、図１２）
【発明の開示】
【発明が解決しようとする課題】
【０００８】
本発明は、携帯電話等の携帯端末本体の厚さを薄くする観点及び携帯端末本体の側部にジャックを配した場合に該ジャックに挿入したプラグが該端末を手で持ったユーザの邪魔になる問題を解決する観点等から、前記のように、ジャックを折り畳み式端末のヒンジ部に配置することとし、その場合に生じる種々の問題の内、該位置にジャックを挿入する都合上、そのハウジングを円筒状に構成することとした場合に、新たに生じる接片部材の構成上の種々の問題及びこれに伴ってハウジングに新たに生じる取付構造上の種々の問題を解決した円筒状ジャックを提供することを解決の課題とする。
【課題を解決するための手段】
【０００９】
本発明の１は、携帯端末の分体相互を折り畳み可能に結合するヒンジ部にその軸心に沿って挿入配置する円筒状ジャックであって、
正面に開口し、軸心に沿って延長するプラグ挿入孔と、周側部に形成した周側部側接片部材の取付片及びコンタクト片を配するための取付凹部であって、その一部から該コンタクト片を該プラグ挿入孔に導入するコンタクト片導入口を備えた取付凹部と、前記プラグ挿入孔の後部側に構成した後部側接片部材を取り付けるための係止部とを備え、かつ絶縁性部材で構成した円筒状のハウジング、
前記取付凹部に配して該ハウジングに固定するための取付片と、該取付凹部から前記コンタクト片導入口を通じてプラグ挿入孔に導入延長し、該プラグ挿入孔に挿入されたプラグの対応する電極に接触するコンタクト片とを備え、かつ導電性バネ材で構成した周側部側接片部材、
及び前記ハウジングのプラグ挿入孔の後部側に構成した係止部に取り付ける後部側接片部材、
で構成した円筒状ジャックである。
【００１０】
本発明の２は、本発明の１の円筒状ジャックに於いて、前記周側部側接片部材の取付片を、前記ハウジングの周側部表面から突出しないように、前記取付凹部に配するように構成したものである。
【００１１】
本発明の３は、本発明の１又は２の円筒状ジャックに於いて、前記取付凹部を、端子部を配するための端子部用凹部と、該端子部用凹部からハウジングの周方向に延びる、周側部側接片部材の取付片を配するための取付片用凹部と、ハウジングの周方向に延びる周側部側接片部材のコンタクト片を配するためのコンタクト片用凹部であって、その一部にコンタクト片のコンタクト部をプラグ挿入孔に臨ませるためのコンタクト片導入口を備えたコンタクト片用凹部と、で構成し、
前記周側部側接片部材を、端子部と、該端子部から前記ハウジングの周側に沿って延びる取付片と、該端子部の一部からプラグ挿入孔に臨むべく、前記コンタクト片導入口から前記プラグ挿入孔内に導入可能なように構成したコンタクト片と、で構成したものである。
【００１２】
本発明の４は、本発明の１又は２の円筒状ジャックに於いて、前記取付凹部を、周側部側接片部材の端子部を配するための端子部用凹部と、該端子部用凹部のハウジングの周方向の両側両端から各々周方向に延び、先端で相互に対面する方向に曲がる周側部側接片部材の取付片を配するための取付片用凹部と、該端子部用凹部のハウジングの周方向の両側中央部から各々周方向に延び、その先端で、該取付片用凹部の先端より該端子部用凹部寄りの位置に開口したコンタクト片導入口を備えたコンタクト片用凹部と、で構成し、
前記周側部側接片部材を、中央部の端子部と、該端子部の両側両端から各々前記ハウジングの周側を抱えるべく延長し、かつ各々同方向に延長した相互の先端に対面する方向に突出する係止片を形成してなる各二本の取付片と、該端子部の両側の各二本の取付片の間からプラグ挿入孔を挟むように延長し、前記コンタクト片導入口から前記プラグ挿入孔内に導入延長するコンタクト片と、で構成したものである。
【００１３】
本発明の５は、本発明の１、２、３又は４の円筒状ジャックに於いて、前記係止部を、前記プラグ挿入孔の後部側に周方向１８０度の角度間隔で構成した後部側接片部材の二つのコンタクト片の先端を係止する二つの先端係止部と、該二つの先端係止部を結ぶ仮想線と交差する他の仮想線上に位置する位置関係でプラグ挿入孔の後部側に形成した後部側接片部材の二つの取付片の各々を挿入する二つの取付溝であって、プラグ挿入孔側に開口する保持用突部導入口を備えた二つの取付溝と、で構成し、
前記後部側接片部材を、各々プラグ挿入孔の内周に沿って延長し、その途中に該プラグ挿入孔内に膨出するコンタクト部を形成し、かつその先端を前記係止部の先端係止部に係止するように構成した二つのコンタクト片と、各々該プラグ挿入孔の長さ方向に延長し、該プラグ挿入孔側に膨らむ保持用突部を備え、かつ前記取付溝に装入可能に構成した二つの取付片と、で構成したものである。
【００１４】
本発明の６は、本発明の１、２、３又は４の円筒状ジャックに於いて、前記係止部を、前記プラグ挿入孔の後部側内周に周方向１８０度の角度間隔で構成した二つの先端係止部であって、後部側接片部材の二つのコンタクト片の先端を、各々該プラグ挿入孔内へは移動不能とし、外方へは移動自由とするように係止する二つの先端係止部と、該二つの先端係止部を結ぶ仮想線と交差する他の仮想線上に位置する位置関係でプラグ挿入孔の後部側に形成した後部側接片部材の二つの取付片の各々を挿入する二つの取付溝と、で構成し、
該二つの取付溝（９）は、それぞれ前記プラグ挿入孔側に開く態様の、両側の側板状スリット部（９ｃ）とその間を繋ぐ底板状スリット部（９ｄ）からなる外広がり態様の樋状スリットに構成し、かつ該底板状スリット部（９ｄ）には、後部側接片部材（４）の底板部（４ｂ１）に構成した保持用突部（４ｂ４）をプラグ挿入孔側に突出させるべく、該プラグ挿入孔側に開口する保持用突部導入口（９ｂ）を開口し、
前記後部側接片部材を、ハウジングの背面側で前記プラグ挿入孔の軸心と交差する面内に位置する中央基部と、該中央基部の両側辺から各々該プラグ挿入孔の内周に沿って延長し、その途中を該プラグ挿入孔内に膨出させたコンタクト部に形成し、それらの先端を前記係止部の二つの先端係止部に係止させるように構成した二つのコンタクト片と、前記中央基部の該両コンタクト片を設けた辺と交差する向きの隣接する他の二辺から各々前記二つの取付溝（９）に挿入可能にすべく該プラグ挿入孔の長さ方向に延長して構成した二つの取付片（４ｂ）とで構成し、
該二つの取付片（４ｂ）は、前記取付溝（９）の側板状スリット部（９ｃ）に挿入可能な側板（４ｂ２）と、該取付溝（９）の底板状スリット部（９ｄ）に挿入可能な底板部（４ｂ１）とからなる、該プラグ挿入孔側に開く外広がり態様の樋状部材に構成し、かつ該底板部（４ｂ１）には、各々他の取付片（４ｂ）の底板部（４ｂ１）の保持用突部（４ｂ４）と共に該プラグ挿入孔に挿入されたプラグを保持する、該プラグ挿入孔側に膨らむ保持用突部（４ｂ４）を構成したものである。
【００１５】
本発明の７は、本発明の６の円筒状ジャックに於いて、前記取付片の両側板の間の角度を、前記取付溝の両側板状スリット部の間の角度より小さい角度に構成し、該取付片を該取付溝に挿入した場合に、該取付片の両側板間が、その角度差分だけ開くことになり、その底板部がプラグ挿入孔側に膨らむこととなるように構成したものである。
【００１６】
本発明の８は、本発明の３又は４の円筒状ジャックに於いて、前記周側部側接片部材を、二つ以上採用する場合に、その端子部を前記ハウジングの長さ方向に沿って直線状に配列することとしたものである。
【発明の効果】
【００１７】
本発明の１の円筒状ジャックによれば、ハウジングの周側部に取り付ける周側部側接片部材は、該ハウジングの周側部に形成した取付凹部に容易に配設し得、かつ確実に配設され得る。従って周側部側接片の所定の部位とプラグ挿入孔に挿入されたプラグとの安定した接触動作を確保することができる。
【００１８】
本発明の２の円筒状ジャックによれば、前記周側部側接片部材の取付片が、前記ハウジングの周側部表面から突出することがないので、折り畳み可能な携帯端末のヒンジ部の軸部に挿入して用いる場合に極めて好都合である。
【００１９】
本発明の３の円筒状ジャックによれば、周側部側接片部材は、端子部からハウジングの周方向に沿って取付片を延長してこれにより円筒状のハウジングを抱えるように構成し、必要に応じて、該取付片の先端や該周側部側接片部材の該取付片の先端と反対側に当たる部位にそれぞれハウジングへの固定手段を構成し、これによって取付片によるハウジングの抱持状態を確実に維持できるようにし得る。
【００２０】
また、このように取付片によるハウジングへの取り付けが確実になることにより、コンタクト片導入口を通じてプラグ挿入孔に導入されたコンタクト片によるプラグとの接触も安定した確実なものとなり得る。
【００２１】
本発明の４の円筒状ジャックによれば、周側部側接片部材は、端子部の両側から取付片を延長してこれらにより円筒状のハウジングを抱えるように構成したものであるが、更にそれらの各先端の係止片を取付凹部の曲がった部分の壁面に係止させることで、該取付片によるハウジングの抱持状態を確実に維持できるようにしたものである。
【００２２】
ハウジングが正面視四辺形である場合は、例えば、取付片で該ハウジングを抱えることとすると、その取付片はその先端部をハウジングの下端の両側の角部に係止することで確実な取付状態を容易に確保することができる。従ってこの場合は取付片の先端をハウジングの下面側に長く延長した構成にする必要はない。しかし、ハウジングが円筒状の場合には、取付片を適切に係止させる部分がないので、確実な取り付けのためには、該取付片は該ハウジングの全周又はそれに近い状態まで抱える必要がある。そこで、取付片をこのように構成すると、今度は、取付片をハウジングに取り付けるために開くと、現在一般にこの種の用途に用いられているバネ材では弾性限界を越えてしまう可能性があり、そのように構成することが無理であることが分かる。
【００２３】
本発明の４の円筒状ジャックでは、両側の取付片は、これらを弾性限界を越えない範囲に開いてハウジングに取り付け得るようにその長さ（抱持範囲）を限定すると共に、不足する取り付け力を、各々同方向に延長した二つの取付片の先端に、相互に対面する方向に突出する係止片を構成し、これらを、前記のように、取付凹部の曲がった部分の壁面に係止させることで補うようにしたものである。
【００２４】
また、云うまでもなく、本発明の４の円筒状ジャックでは、端子部は端子部用凹部に、取付片は取付片用凹部に、コンタクト片はコンタクト片用凹部に、それぞれ配され、それぞれは、ハウジングの周側外面より外方に突出しないようになっている。またコンタクト片用凹部に配されたコンタクト片は、その先端側が、前記のように、コンタクト片導入口を通じてプラグ挿入孔内に延長導入されており、プラグ挿入孔に挿入されるプラグの対応する電極に接触可能になっている。
【００２５】
本発明の５の円筒状ジャックによれば、後部側接片部材の二つのコンタクト片と、二つの取付片とは、各々相互に交差状態となっている仮想線上に位置するものであり、該コンタクト片の対面する二つのコンタクト部と、同様に対面する取付片の二つの保持用突部とにより、プラグ挿入孔に挿入されたプラグの先端付近は挟持状態に保持されることになる。プラグのより確実な保持を確保することができる。
【００２６】
本発明の６の円筒状ジャックによれば、後部側接片部材の二つのコンタクト片は、各先端部が前記先端係止部に係止され、前記のように、適切な動きに規制されているものであり、その途中にはプラグ挿入孔内に膨らむコンタクト部が構成されているため、それらのコンタクト部で、プラグ挿入孔に挿入されたプラグの対応する電極（チップ電極）に確実に接触し、かつこれを保持することができる。またこれらのコンタクト片は、これらと交差する位置関係で配された取付片が取付溝に配されることでハウジングに確実に取り付けられ、また両取付片の底板部に保持用突部を膨出させ、これを前記保持用突部導入口を通じてプラグ挿入孔内に突き出させることにより、プラグ挿入孔に挿入されたプラグの対応部位をそれらの保持用突部で挟持状態に接触し、二つのコンタクト片のコンタクト部による保持と相まってより確実な保持を確保することができる。
【００２７】
本発明の７の円筒状ジャックによれば、前記のように、前記取付片の両側板の間の角度を、前記取付溝の両側板状スリット部の間の角度より小さな角度に構成し、該取付片を該取付溝に挿入した場合に、その角度差分だけ、取付片の両側板間が開き、これによって該取付片の底板部がプラグ挿入孔側に膨らむように構成したため、底板部は取付溝のプラグ挿入孔から遠い方の壁面から浮いた状態となり、前記底板部の一部を膨出させて構成した前記保持用突部はプラグ挿入孔内に適切に進入し得、かつ適切な弾力を確保することができる。それ故、二つの対面する保持用突部は、該プラグ挿入孔に挿入されたプラグを両側から適切な弾力で挟持し、適切な保持力を確保することができる。<BR>
【００２８】
本発明の８の円筒状ジャックによれば、前記周側部側接片部材を、例えば、リングバネ及びスリーブバネとして採用する場合のように、二つ以上採用することとした場合は、各々の端子部を前記ハウジングの長さ方向に沿って直線状に配列することとしたものであるため、一定のパターンで構成した接続手段等による一括の電気的接続が可能になったものである。
【発明を実施するための最良の形態】
【００２９】
発明を実施するための最良の形態を、実施例に基づき、図面を参照しながら詳細に説明する。
【実施例１】
【００３０】
この実施例１の円筒状ジャックは、基本的に、図１〜図３に示すように、プラグ挿入孔１、スリーブバネ（周側部側接片部材）２及びリングバネ（周側部側接片部材）３を配する取付凹部並びにチップバネ（後部側接片部材）４を取り付けるための二種類の係止部を備えた円筒状のハウジング５と、該ハウジング５の二つの取付凹部に配するスリーブバネ２及びリングバネ３と、該ハウジング５の二種類の係止部に取り付けるチップバネ４とで構成したものである。
【００３１】
前記ハウジング５は、前記し、図１(a)、(c)、図２(a)、(b)、図３(a)、(b)及び図４(a)、(c)に示すように、基本的に、円筒状をなし、絶縁性素材で構成した部材である。折り畳み自在な携帯端末のヒンジの一部、より具体的には、ヒンジのヒンジピンを挿入する部位の一部に挿入可能にする趣旨で円筒状に構成したものである。該ハウジング５は、云うまでもなく、絶縁性の素材で成形したものである。
【００３２】
前記プラグ挿入孔１は、図１(a)、図２、図３(a)、図４(a)、(c)及び図５に示すように、該ハウジング５の正面に開口し、その概ね軸心に沿って背面側まで延長したほぼ円柱状の空間である。該プラグ挿入孔１は、この実施例では、同図に示すように、背後方向にも開口している。なお、該プラグ挿入孔１の正面側の開口部は、プラグｐの挿入をスムーズに行えるようにする趣旨でその周縁部を小テーパ状に面取りしてある。
【００３３】
前記取付凹部は、前記したように、スリーブバネ２用及びリングバネ３用のそれがあるが、基本的な構成は全く同様である。スリーブバネ２用の取付凹部を、ハウジング５の正面側寄りの周側に配置し、リングバネ３用のそれを該スリーブバネ２用のそれより後方寄りに配置して、各々に配されたスリーブバネ２のコンタクト片２ａのコンタクト部２ａｐがプラグ挿入孔１に挿入されたプラグｐのスリーブ電極ｐｓに接触し、リングバネ３のコンタクト片３ａのコンタクト部３ａｐがリング電極ｐｒに接触できるようにしてある。
【００３４】
以上のように、前記取付凹部は、スリーブバネ２用及びリングバネ３用のいずれも構成は全く同様で、位置関係が異なるのみであるので、まずスリーブバネ２用のそれについて説明し、リングバネ３用のそれについては、その後に略述する。
【００３５】
前記スリーブバネ２用の取付凹部は、先に述べ、特に図４及び図５に示すように、ハウジング５の周側部の正面側寄りの位置に構成する。該取付凹部は、同図に示すように、該スリーブバネ２の端子部２ｂを接合状態に配置するための端子部用凹部６ａと、該端子部用凹部６ａの両側両端から各々該ハウジング５の周方向に延びる各一対の抱持片（取付片）２ｃ、２ｃ…を接合状態に配置する各一対の抱持片用凹部（取付片用凹部）６ｂ、６ｂ…と、該端子部用凹部６ａの両側中央部から各々ハウジング５の周方向に延びるコンタクト片２ａ、２ａを接合状態に配置するコンタクト片用凹部６ｃ、６ｃとで構成したものである。
【００３６】
端子部用凹部６ａ、抱持片用凹部６ｂ、６ｂ…及びコンタクト片用凹部６ｃ、６ｃは、スリーブバネ２の端子部２ｂ、抱持片２ｃ、２ｃ…及びコンタクト片２ａ、２ａが、ハウジング５の周側外面より外方に突出しない深さとする。
【００３７】
前記各一対の抱持部用凹部６ｂ、６ｂは、図４(b)、(e)及び図５(a)に示すように、その先端で相互に対面する方向に折曲し、相互の凹部を連続する先端連続凹部６ｂｃを備えたものとする。
【００３８】
前記コンタクト片用凹部６ｃ、６ｃは、図４(b)、(d)及び図５(a)に示すように、周方向に延長したその先端部で、該各一対の抱持片用凹部６ｂ、６ｂの先端連続凹部６ｂｃより前記端子部用凹部６ａ寄りの位置に、プラグ挿入孔１に連通するコンタクト片導入口６ｃｈを開口させてあり、コンタクト片２ａの先端側をこれを通じて該プラグ挿入孔１内に進出させることができるようになっている。該コンタクト片導入口６ｃｈは、図２(a)及び図５(a)に示すように、前記開口位置から、前記端子部用凹部６ａの中心とプラグ挿入孔１の軸心を結ぶ仮想線に平行に延長させ、その最下部はプラグ挿入孔１の内周を僅かに掘り下げた状態に構成し、最下部のプラグ挿入孔１側の縁をコンタクト片２ａの先端を係止する先端掛止部６ｃｈｒとする。
【００３９】
スリーブバネ２用の取付凹部は、以上の通りであり、前記リングバネ３用の取付凹部は、図４(b)、(d)、(e)及び図５(b)、(c)、(d)に示すように、ハウジング５の周側部のスリーブバネ２用の取付凹部より後部側寄りの位置に構成する。該リングバネ３用の取付凹部は、スリーブバネ２用の端子部用凹部６ａに対応する端子部用凹部７ａと、抱持片用凹部６ｂ、６ｂ…に対応する抱持片用凹部（取付片用凹部）７ｂ、７ｂ…と、コンタクト片用凹部６ｃ、６ｃに対応するコンタクト片用凹部７ｃ、７ｃとで構成したものであり、各一対の抱持片用凹部７ｂ、７ｂは、スリーブバネ２用のそれと同様の先端連続凹部７ｂｃを備え、コンタクト片用凹部７ｃ、７ｃは、やはりスリーブバネ２用のそれと同様に、先端にコンタクト片導入口７ｃｈを備えている。また該コンタクト片導入口７ｃｈは、これもスリーブバネ２用のそれと同様の構成であり、最下部のプラグ挿入孔１側の縁がコンタクト片２ａの先端を係止する先端掛止部７ｃｈｒとなっている。前記し、かつ以上に説明したように、リングバネ３用の取付凹部は、位置が異なる他は、スリーブバネ２用の取付凹部と同一構成である。
【００４０】
また前記チップバネ４を取り付けるための二種類の係止部は、図４(b)、(c)及び図５(c)、(d)に示すように、前記プラグ挿入孔１の後部側内周に周方向１８０度の角度間隔で構成した二つの先端係止部８、８と、該二つの先端係止部８、８を結ぶ仮想線に交差する仮想線の両端の位置関係で該プラグ挿入孔１の後部内周に構成した取付溝９、９とに構成したものである。該先端係止部８、８は、チップバネ４のコンタクト片４ａ、４ａの先端を係止し、取付溝９、９は、チップバネ４の取付片４ｂ、４ｂを挿入係止するものである。
【００４１】
前記先端係止部８、８は、後方を向き、かつ後方に向かって若干プラグ挿入孔１内に傾いた板状の部位であり、その一方を、図２(d)及び図５(d)に示すように、この実施例では、前記スリーブバネ２用の取付凹部及びリングバネ３用の取付凹部の端子部用凹部６ａ、７ａとハウジング５に於ける周方向の角度関係を一致させて、その後部側内周に位置させ、他方の先端係止部８を、前記のように、該一方の先端係止部８と１８０度の角度間隔で、同様にハウジング５の後部側内周に位置させたものである。
【００４２】
前記先端係止部８、８には、図２(d)及び図５(d)に示すように、コンタクト片４ａ、４ａを最後部から該先端係止部８、８まで案内する案内部８ａ、８ａと、コンタクト片４ａ、４ａの先端の外方への動きを許容する、該先端係止部８、８の外側の余裕空間８ｂ、８ｂとを備えてある。なお、該案内部８ａ、８ａは、同図に示すように、ハウジング５の最後部では、該ハウジング５の後端より後方に突出した部位の内面側に構成されている。また前記余裕空間８ｂ、８ｂの外周側は、この実施例では、ハウジング５外に開く切欠となっている。
【００４３】
前記取付溝９、９は、図４(c)に示すように、チップバネ４の二つの取付片４ｂ、４ｂの各々を挿入する側板状スリット部が外広がりとなった断面外広がりの樋状のスリットをなす溝であり、その底板状スリット部には、取付片４ｂ、４ｂの底板部４ｂ１が、両側の側板状スリット部には、側板部４ｂ２、４ｂ２が挿入されるようにしてある。なお、同図に示すように、該取付溝９、９は、溝の開口部がプラグ挿入孔１側を向くように構成してある。
【００４４】
また該取付溝９、９には、図２(c)及び図５(c)に示すように、各々の底板状スリット部の外面側に前記取付片４ｂ、４ｂに後ろ向きに切り起こし形成した固定片４ｂ３、４ｂ３を係止する固定穴（固定部）９ａ、９ａを形成する。該固定穴９ａ、９ａはその後部側の縁に前記固定片４ｂ３、４ｂ３の先端を当接させて、これを係止固定するものである。また該取付溝９、９には、同図に示すように、各々の底板状スリット部の内面側に、保持用突部導入口９ｂ、９ｂを開口する。この保持用突部導入口９ｂ、９ｂは、同図に示すように、前記固定穴９ａ、９ａより後方側で、プラグ挿入孔１内に開口するように構成し、取付片４ｂ、４ｂに膨出形成した保持用突部４ｂ４、４ｂ４をプラグ挿入孔１内に進入させようとする趣旨のものである。この保持用突部導入口９ｂ、９ｂは、この実施例では、ハウジング５の後端まで開口する状態に構成したので、穴と云うより後部に開いた切欠状となっている。
【００４５】
前記スリーブバネ２は、導電性の板バネ材で構成したものであり、図６(a)〜(f)に示すように、中央部の板状の端子部２ｂと、該端子部２ｂの両側両端から各々前記ハウジング５の周側を抱えるべく延長した各一対の抱持片２ｃ、２ｃと、該端子部２ｂの両側の各一対の抱持片２ｃ、２ｃの間から各々同方向に延長した各一本のコンタクト片２ａとで構成したものである。
【００４６】
前記端子部２ｂは、図６(a)、(b)、(c)、(e)、(f)に示すように、この実施例では、その中央部で僅かに内側に膨らむ膨出部を形成したものである。
また該端子部２ｂの両側に突出させた各一対の抱持片２ｃ、２ｃは、図６(c)、(e)に示すように、円筒状のハウジング５を抱持すべく部分円弧状に構成してあり、更にそれらの先端には、各一対毎の相互の先端側部から対面する方向に突出する係止片２ｃｆ、２ｃｆを構成してあるものである。
更に又前記端子部２ｂの両側中央部から一本ずつ突出させた各コンタクト片２ａ、２ａは、同図に示すように、該端子部２ｂから突出する部分で前記抱持片２ｃ、２ｃ…より曲率を小さく折り曲げてあり、その先端直前には内側に向かって膨出した突部であるコンタクト部２ａｐが形成してある。該コンタクト部２ａｐは、コンタクト片２ａの先端が、前記コンタクト片導入口６ｃｈに導入され、最下部の先端掛止部６ｃｈｒに係止した状態で、プラグ挿入孔１内に適切に進出した状態になるようにその膨出状態が設定されている。
【００４７】
前記リングバネ３は、スリーブバネ２と全く同様の構成であり、図６(a)〜(f)にスリーブバネ２と兼用して示してあるように、スリーブバネ２の端子部２ｂに対応する端子部３ｂと、抱持片２ｃに対応する抱持片３ｃと、コンタクト片２ａに対応するコンタクト片３ａと、抱持片２ｃの係止片２ｃｆに対応する係止片３ｃｆと、コンタクト片２ａのコンタクト部２ａｐに対応するコンタクト部３ａｐとで構成したものである。
【００４８】
前記チップバネ４は、導電性の板バネ材で構成したものであり、図７に示すように、中央基部４ｃと、該中央基部４ｃの両側辺から該中央基部４ｃの属する面と直交する方向に延長した相互に対面するコンタクト片４ａ、４ａと、該中央基部４ｃの両コンタクト片４ａ、４ａを設けた辺に隣接する他の二辺から各々中央基部４ｃの属する面に直交する方向に延長した二つの取付片４ｂ、４ｂとで構成したものである。
【００４９】
前記二つのコンタクト片４ａ、４ａは、図７(a)、(g)、(h)に示すように、先端直前に向かって相互を近接させる方向に延長し、先端直前で外方に後退すべく屈曲することにより、それぞれ先端直前に突出部であるコンタクト部４ａｐ、４ａｐを構成し、更にその先端に向かって対面するコンタクト片４ａ、４ａが相互に若干近接するように屈曲させたものである。
【００５０】
前記取付片４ｂ、４ｂは、図７に示すように、各々底板部４ｂ１とその両側の側板部４ｂ２、４ｂ２とからなっており、各々は、相互の開口部が対面状態となっている樋状を基本とする形状の構成要素であり、側板部４ｂ２、４ｂ２は、同図に示すように、外開きとなっている。なお、これらの両側の側板部４ｂ２、４ｂ２が作るその間の角度は、前記取付溝９、９の両側の側板状スリット部が作るその間の角度より若干小さな角度とする。また該取付片４ｂ、４ｂには、同図に示すように、その底板部４ｂ１、４ｂ１の先端側から半分程の位置までに後ろ向きに、かつ外向きに切り起こした固定片４ｂ３、４ｂ３が形成してあり、加えて該底板部４ｂ１、４ｂ１には、該固定片４ｂ３、４ｂ３より後部側に内側に膨らむ保持用突部４ｂ４、４ｂ４が形成してある。
【００５１】
従って前記スリーブバネ２は、図１(b)、(d)、(e)、図２(a)、(c)、(d)及び図３に示すように、ハウジング５のそれ用の取付凹部に容易に取り付け得ると共に、該ハウジング５の外周面外に突出させないようにすることができる。スリーブバネ２の両側の各一対の抱持片２ｃ、２ｃ…は、これを若干開いた状態とした上で、ハウジング５の該当する取付凹部の両側の抱持片用凹部６ｂ、６ｂ…の外側にこれを抱え得る位置関係で配置し、拡開させていた外力を除けば、それぞれ該抱持片用凹部６ｂ、６ｂ…中に装入配置され、ハウジング５を抱持した状態になる。各抱持片２ｃ、２ｃ…の先端の係止片２ｃｆ、２ｃｆ…は、このとき、抱持片用凹部６ｂ、６ｂの先端の先端連続凹部６ｂｃ中に配置され、その上側の縁に係止して該スリーブバネ２の外れ止めとなる。
【００５２】
このように抱持片２ｃ、２ｃ…を抱持片用凹部６ｂ、６ｂ…に装入する際に、前記両側のコンタクト片２ａ、２ａは、その先端が各々両側の対応するコンタクト片用凹部６ｃ、６ｃに当接し、これを滑りながら拡開し、最終的には、該コンタクト片用凹部６ｃ、６ｃの先端に位置するコンタクト片導入口６ｃｈ、６ｃｈに進入する。該コンタクト片２ａ、２ａの先端が更に進入下降して、その先端が該コンタクト片導入口６ｃｈの最下部に到達し、プラグ挿入孔１側の縁である先端掛止部６ｃｈｒに係止するに至る。この状態で、該コンタクト片２ａ、２ａの先端直前の突部であるコンタクト部２ａｐ、２ａｐはプラグ挿入孔１内に側方から適切に進出した状態になる。なおこのコンタクト部２ａｐ、２ａｐのプラグ挿入孔１内への進出位置は、云うまでもなく、これらのコンタクト部２ａｐ、２ａｐが、挿入されるプラグｐのスリーブ電極ｐｓに適切に接触し得る位置である。
【００５３】
以上のように該スリーブバネ２を配置操作すると、その端子部２ｂは、ハウジング５の端子部用凹部６ａ中に接合状態に配置されることになる。
【００５４】
前記リングバネ３は、前記のように、以上のスリーブバネ２と全く同様の構成であり、リングバネ３用の取付凹部の構成も、スリーブバネ２用の取付凹部と、ハウジング５上の位置が異なるのみで、全く同様の構成であるから、リングバネ３は、スリーブバネ２をそれ用の取付凹部に取り付けるのと全く同様の操作でリングバネ３用の取付凹部に取り付けることができる。
【００５５】
従ってそのように操作して、図１(b)、(d)、(e)、図２(c)、(d)及び図３に示すように、リングバネ３は、その抱持片３ｃ、３ｃ…が抱持片用凹部７ｂ、７ｂ…に装入配置状態となり、それらの先端の係止片３ｃｆ、３ｃｆ…は、抱持片用凹部７ｂ、７ｂの先端の先端連続凹部７ｂｃ中に装入配置状態となる。該係止片３ｃｆ、３ｃｆ…は先端連続凹部７ｂｃの上縁に係止して該リングバネ３の外れ止めとなる。他方、コンタクト片３ａ、３ａは、その端子部３ｂ寄りの部位がコンタクト片用凹部７ｃ、７ｃ中に配され、その先端側がコンタクト片導入口７ｃｈを通じてプラグ挿入孔１中に進入し、その先端がコンタクト片導入口７ｃｈの最下部の先端掛止部７ｃｈｒに係止し、その直上の突部であるコンタクト部３ａｐ、３ａｐがプラグ挿入孔１内に側方から適切に進出した状態に配置される。この進出位置は、云うまでもなく、該コンタクト片３ａ、３ａのコンタクト部３ａｐ、３ａｐが、挿入されるプラグｐのリング電極ｐｒに適切に接触し得る位置である。また、該リングバネ３の端子部３ｂは、ハウジング５の端子部用凹部７ａ中に接合状態に配置される。
【００５６】
前記チップバネ４は、その向きを定めてハウジング５の背後から挿入して取り付ける。
そのコンタクト片４ａ、４ａの先端部の各々を前記案内部８ａ、８ａの後端の位置に対応させ、同時に取付片４ｂ、４ｂの先端部を前記取付溝９、９の入口に対応させる。こうした上で、該チップバネ４を該ハウジング５の背後から押し込む。そうすると、コンタクト片４ａ、４ａの先端は、前記案内部８ａ、８ａの内面側を通って、それぞれ先端係止部８、８の直前の位置まで至り、この時点で必要に応じて該コンタクト片４ａ、４ａを若干外方に広げながら更に押し込むと、該コンタクト片４ａ、４ａの先端はそれぞれ該先端係止部８、８の外方側に進入することとなり、該コンタクト片４ａ、４ａに加えていた外力を除去すると、その先端は、図２(d)に示すように、各々該先端係止部８、８に係止し、そのコンタクト部４ａｐ、４ａｐはプラグ挿入孔１内に進出した状態になる。
【００５７】
他方、前記取付片４ｂ、４ｂも、該チップバネ４の該ハウジング５の背後からの押し込み動作に伴って、先端から前記取付溝９、９に進入する。取付片４ｂ、４ｂは、単に押し込み状態の進展に伴って、図２(c)に示すように、その固定片４ｂ３、４ｂ３が前記固定穴９ａ、９ａの後部側の縁に当接係止することとなり、保持用突部４ｂ４、４ｂ４はそれぞれ保持用突部導入口９ｂ、９ｂを通じてプラグ挿入孔１内に進出状態となる。なお、該チップバネ４の中央基部４ｃは、図１(c)及び図３(b)に示すように、ハウジング５の後部中央に位置する状態となる。
【００５８】
従ってこの実施例１の円筒状ジャックによれば、ハウジング５の周側部に取り付けるスリーブバネ２及びリングバネ３は、該ハウジング５の周側部にそれぞれ形成した対応する取付凹部に配設され、そのいずれの部分も周側部外面から外部に突出することがない。また該ハウジング５の後部側に配されるチップバネ４は、該ハウジング５の背面側からプラグ挿入孔１の後部内周に沿って挿入配置されるものであり、これも該ハウジング５の周側部外面より外部に突出する部分が存在しない。従って折り畳み可能な携帯端末のヒンジ部の軸部に挿入して用いる場合に極めて好都合である。
【００５９】
前記スリーブバネ２及びリングバネ３は、以上のように、周側部の対応する取付凹部に配されるものであるが、それぞれの抱持片２ｃ、２ｃ…、３ｃ、３ｃ…は、各先端の係止片２ｃｆ、２ｃｆ…、３ｃｆ、３ｃｆ…が、抱持片用凹部６ｂ、６ｂ…、７ｂ、７ｂ…の先端の先端連続凹部６ｂｃ、６ｂｃ、７ｂｃ、７ｂｃ中に装入配置状態となり、前者が後者の上縁に係止して該スリーブバネ２及びリングバネ３の良好な外れ止めとなる。
【００６０】
またこの実施例１の円筒状ジャックでは、先に述べたように、スリーブバネ２、リングバネ３及びチップバネ４のいずれの部位もハウジング５の周側より外方に突出しないが、それぞれの端子部２ｂ、３ｂ及び中央基部４ｃも当然そのようになっている。該端子部２ｂ、３ｂにはリード線等を接続し、必要な電気的接続ができるようになっているのは云うまでもない。該中央基部４ｃも端子として使用することも可能であるが、チップバネ４に関しては、前記固定穴９ａに固定状態になって露出している一方の取付板４ｂの側板部４ｂ２を端子部に兼用して用い、ここにリード線等を接続して必要な電気的接続をすることができる。
【００６１】
この実施例１では、前記スリーブバネ２とリングバネ３の端子部２ｂ、３ｂを前記ハウジング５の長さ方向に沿って直線状に配列したものであるため、一定のパターンで構成した接続手段による電気的接続が可能になる。
【００６２】
この実施例１のスリーブバネ２及びリングバネ３のコンタクト片２ａ、２ａ、３ａ、３ａは、前記のように、適切な位置関係で配置されているため、スリーブバネ２のコンタクト片２ａのコンタクト部２ａｐ、２ａｐは、プラグ挿入孔１に挿入されたスリーブ電極ｐｓに接触し、リングバネ３のコンタクト片３ａのコンタクト部３ａｐ、３ａｐは、リング電極ｐｒに適切に接触することになる。
【００６３】
またチップバネ４の二つのコンタクト片４ａ、４ａは、各先端部が、前記先端係止部８、８に外方への後退が可能な状態で係止され、その途中に位置するコンタクト部４ａｐ、４ａｐはプラグ挿入孔１内に進出した状態になっている。そのため、該コンタクト部４ａｐ、４ａｐは、プラグｐがプラグ挿入孔１に挿入されると、必要なだけ後退が可能であり、そのバネ力により、そのチップ電極ｐｃに確実に接触し、かつこれを保持することができる。
【００６４】
更に又チップバネ４の取付片４ｂ、４ｂは、前記のように、取付溝９、９に挿入状態となって保持固定されるものであるが、該取付片４ｂ、４ｂの両側板部４ｂ２、４ｂ２の作るその間の角度は、該取付溝９、９の両側の側板状スリット部が作るその間の角度より若干小さな角度に構成してある。そのため、該取付片４ｂ、４ｂは、該取付溝９、９への挿入に伴って、該両側板部４ｂ２、４ｂ２はその間の角度が広げられ、底板部４ｂ１、４ｂ１の外面側が該取付溝９、９の底板状スリット部の対応する面から浮いた状態になり、前記保持用突部４ｂ４、４ｂ４のプラグ挿入孔１内への進出量を若干増加させ、かつプラグｐがプラグ挿入孔１に挿入され、該保持用突部４ｂ４、４ｂ４がその周側面に当接した場合に必要量だけ後退する余地を作り出している。即ち、該保持用突部４ｂ４、４ｂ４の可動空間を確保すると共に、取付片４ｂ、４ｂをそのバネ性が発揮し得るように配したものである。それ故、二つの対面する保持用突部４ｂ４、４ｂ４は、該プラグ挿入孔１に挿入されたプラグｐをチップ電極ｐｃの位置で両側から適切な弾力で挟持し、適切な保持力を確保することができる。
【実施例２】
【００６５】
この実施例２は、実施例１のスリーブバネ２及びリングバネ３並びにこれに対応するハウジング５の取付凹部と異なるスリーブバネ１２及びリングバネ並びにこれに対応するハウジング１５の取付凹部を有する例に関する。実施例１との違いは以上の点のみである。従ってこれらの点に関してのみ説明する。
【００６６】
この実施例２のスリーブバネ（周側側部側接片部材）１２は、導電性の板バネ材で構成したものであり、図８(a)、(b)に示すように、端子部１２ａと、その一側両端から前記ハウジング１５の周側を抱えるべく延長した一対の抱持片（取付片）１２ｂ、１２ｂと、該端子部１２ａの他側を延長してその内部に開口した係止穴１２ｃと、該抱持片１２ｂ、１２ｂの先端間を接続する帯状部内に開口した他の係止穴１２ｄと、該抱持片１２ｂ、１２ｂの先端間を接続する帯状部の係止穴１２ｄより内側の部分から前記端子部１２ａ側に延長するコンタクト片１２ｅとで構成したものである。
【００６７】
前記端子部１２ａは、図８(a)、(b)に示すように、この実施例では、その中央部で僅かに内側に膨らむ膨出部を形成したものである。
また前記一対の抱持片１２ｂ、１２ｂは、図８(b)に示すように、円筒状のハウジング１５を抱持すべく側方から見て部分円弧状に構成してあり、更にそれらの先端間には、図８(a)、(b)に示すように、前記係止穴１２ｄの外側の辺を兼ねる係止片１２ｄ１が構成してあり、ハウジング１５の後述する抱持片用凹部１６ｂの先端の先端連続凹部１６ｂｃの上側の縁に係止して該スリーブバネ１２の外れ止めの作用を果たすものとなる。
【００６８】
前記端子部１２ａの抱持片１２ｂ、１２ｂの接続する側と反対側に構成した係止穴１２ｃの外側の辺を兼ねる部位は、抱持片１２ｂ、１２ｂの先端側の係止穴１２ｄのそれと同様に、係止片１２ｃ１となっており、ハウジング１５の後述する端子部側延長部用凹部１６ｄの先端の先端連続凹部１６ｄｃの上側の縁に係止して、他方の係止片１２ｄ１の作用と相まって該スリーブバネ１２の外れ止めの作用を果たすものとなる。
【００６９】
前記コンタクト片１２ｅは、図８(a)に示すように、前記端子部１２ａ側に延びる縦帯状部と先端の横帯状部からなる、平面から見て概ねＴ字状をなす部材であり、図８(b)に示すように、側面から見て、該縦帯状部が谷折り状態に折曲してあり、内側に向かって最も膨らんだ部分がコンタクト部１２ｅｐとなり、先端の横帯状部の更に先端部が当接部１２ｅｔとなる。該コンタクト部１２ｅｐは、後記コンタクト片導入口１６ｃｈを通じてプラグ挿入孔に進入し、該プラグ挿入孔に挿入されたプラグｐのスリーブ電極に接触するようになっている。また該当接部１２ｅｔは、その両端付近が、図８(b)に示すように、前記抱持片１２ｂ、１２ｂの内面側にスライド自在に当接するようになっている。
【００７０】
前記リングバネは、以上のスリーブバネ１２と全く同様の構成であり、スリーブバネ１２の端子部１２ａに対応する端子部と、抱持片１２ｂに対応する抱持片と、コンタクト片１２ｅに対応するコンタクト片と、抱持片１２ｂの係止片１２ｄ１に対応する係止片と、他の係止片１２ｃ１に対応する係止片と、コンタクト片１２ｅのコンタクト部２ｅｐに対応するコンタクト部と、コンタクト片１２ｅの当接部１２ｅｔに対応する当接部とで構成したものである。
【００７１】
前記ハウジング１５は、前記したように、スリーブバネ１２及びリングバネ用の取付凹部を除いては、実施例１のハウジング５と同様である。
【００７２】
前記取付凹部は、前記したように、スリーブバネ１２用及びリングバネ用のそれがあるが、当然に、基本的な構成は全く同様である。スリーブバネ１２用の取付凹部を、ハウジング１５の正面側寄りの周側に配置し、リングバネ用のそれを該スリーブバネ１２用のそれより後方寄りに配置して、各々に配されたスリーブバネ１２のコンタクト片１２ｅのコンタクト部１２ｅｐがプラグ挿入孔１に挿入されたプラグｐのスリーブ電極ｐｓに接触し、リングバネのコンタクト片のコンタクト部がリング電極ｐｒに接触できるようにしてある。
【００７３】
以上のように、前記取付凹部は、スリーブバネ１２用及びリングバネ用のいずれも構成は全く同様で、位置関係が異なるのみであるので、スリーブバネ１２用のそれについてのみ説明し、リングバネ用のそれについては、省略する。
【００７４】
前記スリーブバネ１２用の取付凹部は、特に図８(b)に示すように、ハウジング１５の周側部の正面側寄りの位置に構成する。該取付凹部は、同図に示すように、該スリーブバネ１２の端子部１２ａを接合状態に配置するための端子部用凹部１６ａと、該端子部用凹部１６ａの一側両端から各々該ハウジング１５の周方向に延びる一対の抱持片（取付片）１２ｂ、１２ｂを接合状態に配置する一対の抱持片用凹部（取付片用凹部）１６ｂ、１６ｂと、前記係止穴１２ｄより内側の部分から前記端子部１２ａ側に延長するコンタクト片１２ｅの基部付近を接合状態に配置するコンタクト片用凹部１６ｃであって、その先端部と前記端子部用凹部１６ａの対応する側との間に開口したコンタクト片導入口１６ｃｈを備えたコンタクト片用凹部１６ｃと、端子部用凹部１６ａの他側両端から延長した端子部側延長部用凹部１６ｄ、１６ｄと、その先端側を相互に対面する方向に折曲して連続させる先端連続凹部１６ｄｃと、前記抱持片用凹部（取付片用凹部）１６ｂ、１６ｂの先端側を相互に対面する方向に折曲し、相互の凹部を連続する先端連続凹部１６ｂｃとで構成する。
【００７５】
前記端子部用凹部１６ａ、抱持片用凹部１６ｂ、１６ｂ及びコンタクト片用凹部１６ｃは、スリーブバネ１２の端子部１２ａ、抱持片１２ｂ、１２ｂ及びコンタクト片１２ｅが、ハウジング１５の周側外面より外方に突出しない深さとする。
【００７６】
従って前記スリーブバネ１２は、図８(b)に示すように、ハウジング１５のそれ用の取付凹部に容易に取り付け得ると共に、該ハウジング１５の外周面外に突出させないようにすることができる。スリーブバネ１２は、これを若干開いた状態とした上で、ハウジング１５の該当する取付凹部の抱持片用凹部１６ｂ、１６ｂ、先端連続凹部１６ｂｃ、１６ｄｃ等の外側に該ハウジング１５を抱え得る位置関係で配置し、拡開させていた外力を除けば、抱持片１２ｂ、１２ｂは、それぞれ該抱持片用凹部１６ｂ、１６ｂ中に装入配置され、前記係止片１２ｄ１、１２ｃ１は、それぞれ先端連続凹部１６ｂｃ、１６ｄｃに挿入状態となって該先端連続凹部１６ｂｃ、１６ｄｃの上側の縁に係止することになる。こうしてスリーブバネ１２は、ハウジング１５に固定状態となる。
【００７７】
同時に端子部１２ａは、端子部用凹部１６ａに配置状態となる。また前記コンタクト片１２ｅは、その基部がコンタクト片用凹部１６ｃに配置状態となり、図８(b)に示すように、コンタクト部１２ｅｐ及びその前後はコンタクト片導入口１６ｃｈを通じてプラグ挿入孔１内に進入した状態となる。またコンタクト片１２ｅの当接部１２ｅｔは、その両端付近が、前記抱持片１２ｂ、１２ｂの内面側にスライド自在に当接状態となっている。
【００７８】
なおこのコンタクト部１２ｅｐのプラグ挿入孔１内への進出位置は、云うまでもなく、これらのコンタクト部１２ｅｐが、挿入されるプラグｐのスリーブ電極ｐｓに適切に接触し得る位置である。
【００７９】
前記リングバネも、前記のように、以上のスリーブバネ１２と全く同様の構成であり、リングバネ用の取付凹部の構成も、スリーブバネ１２用の取付凹部と、ハウジング１５上の位置が異なるのみで、全く同様の構成であるから、リングバネは、スリーブバネ１２をそれ用の取付凹部に取り付けるのと全く同様の操作でリングバネ用の取付凹部に取り付けることができる。
【００８０】
従ってこの実施例２の円筒状ジャックによれば、ハウジング１５の周側部に取り付けるスリーブバネ１２及びリングバネは、該ハウジング１５の周側部にそれぞれ形成した対応する取付凹部に配設され、そのいずれの部分も周側部外面から外部に突出することがない。それ故、折り畳み可能な携帯端末のヒンジ部の軸部に挿入して用いる場合に極めて好都合である。
【００８１】
前記スリーブバネ１２及びリングバネは、以上のように、周側部の対応する取付凹部に配されるものであるが、それぞれ、前記したように、前記係止片１２ｄ１、１２ｃ１等が、それぞれ対応する先端連続凹部１６ｂｃ、１６ｄｃ等に挿入状態となって該先端連続凹部１６ｂｃ、１６ｄｃ等の上側の縁に係止することになる。こうしてスリーブバネ１２は、ハウジング１５に良好な固定状態となる。
【００８２】
またこの実施例２の円筒状ジャックでは、先に述べたように、スリーブバネ１２及びリングバネのいずれの部位もハウジング１５の周側より外方に突出しないが、それぞれの端子部１２ａ等も当然そのようになっている。該端子部１２ａ等にはリード線等を接続し、必要な電気的接続ができるようになっているのは云うまでもない。
【００８３】
この実施例２では、前記スリーブバネ１２とリングバネの端子部１２ａ等を前記ハウジング１５の長さ方向に沿って直線状に配列したものであるため、一定のパターンで構成したフレキシブル基板等の接続手段による電気的接続が可能になる。
【図面の簡単な説明】
【００８４】
【図１】(a)は実施例の円筒状ジャックの正面図、(b)は右側面図、(c)は背面図、(d)は(b)の上から見た図、(e)は(b)を下から見た図。
【図２】(a)は図１(b)のＡ−Ａ線断面図、(b)は図１(b)のＢ−Ｂ線断面図、(c)は図１(b)のＣ−Ｃ線断面図、(d)は図１(d)のＤ−Ｄ線断面図。
【図３】(a)は実施例の円筒状ジャックの正面側斜め方向から見た斜視図、(b)は実施例の円筒状ジャックの背面側斜め方向から見た斜視図。
【図４】(a)は実施例の円筒状のハウジングの正面図、(b)は右側面図、(c)は背面図、(d)は(b)の上から見た図、(e)は(b)を下から見た図。
【図５】(a)は図４(b)のＥ−Ｅ線断面図、(b)は図４(b)のＦ−Ｆ線断面図、(c)は図４(b)のＧ−Ｇ線断面図、(d)は図４(d)のＨ−Ｈ線断面図。
【図６】(a)は実施例のスリーブバネ及びリングバネの正面図、(b)は背面図、(c)は平面図、(d)右側面図、(e)は(d)のＩ−Ｉ線断面図、(f)は斜視図。
【図７】(a)は実施例のチップバネの正面図、(b)は背面図、(c)は平面図、(d)は底面図、(e)は右側面図、(f)は(a)のＪ−Ｊ線断面図、(g)は(a)のＫ−Ｋ線断面図、(h)は斜視図。
【図８】(a)はスリーブバネの展開図、(b)はハウジングのスリーブバネを取り付けた部位に於ける断面図（チップバネ等を省略）。
【符号の説明】
【００８５】
１    プラグ挿入孔
２    スリーブバネ（周側側部側接片部材）
２ａ  スリーブバネのコンタクト片
２ａｐ  スリーブバネのコンタクト片のコンタクト部
２ｂ  スリーブバネの端子部
２ｃ  スリーブバネの抱持片
２ｃｆ  スリーブバネの抱持片の係止片
３    リングバネ（周側側部側接片部材）
３ａ  リングバネのコンタクト片
３ａｐ  リングバネのコンタクト片のコンタクト部
３ｂ  リングバネの端子部
３ｃ  リングバネの抱持片
３ｃｆ  リングバネの抱持片の係止片
４    チップバネ（後部側接片部材）
４ａ  チップバネのコンタクト片
４ａｐ  チップバネのコンタクト片のコンタクト部
４ｂ  チップバネの取付片
４ｂ１  取付片の底板部
４ｂ２  取付片の側板部
４ｂ３  固定片
４ｂ４  取付片に膨出形成した保持用突部
４ｃ  中央基部
５    ハウジング
６ａ  スリーブバネ用の端子部用凹部
６ｂ  スリーブバネ用の抱持片用凹部
６ｂｃ  スリーブバネ用の抱持片用凹部の先端連続凹部
６ｃ  スリーブバネ用のコンタクト片用凹部
６ｃｈ  スリーブバネ用のコンタクト片用凹部のコンタクト片導入口
６ｃｈｒ  スリーブバネ用のコンタクト片用凹部のコンタクト片導入口の先端掛止部
７ａ  リングバネ用の端子部用凹部
７ｂ  リングバネ用の抱持片用凹部
７ｂｃ  リングバネ用の抱持片用凹部の先端連続凹部
７ｃ  リングバネ用のコンタクト片用凹部
７ｃｈ  リングバネ用のコンタクト片用凹部のコンタクト片導入口
７ｃｈｒ  リングバネ用のコンタクト片用凹部のコンタクト片導入口の先端掛止部
８    先端係止部
８ａ  案内部
８ｂ  先端係止部の外側の余裕空間
９    取付溝
９ａ  固定穴（固定部）
９ｂ  保持用突部導入口
９ｃ  側板状スリット部
９ｄ  底板状スリット部
ｐ    プラグ
ｐｓ  スリーブ電極
ｐｒ  リング電極
ｐｃ  チップ電極
１２  スリーブバネ（周側側部側接片部材）
１２ａ  スリーブバネの端子部
１２ｂ  スリーブバネの抱持片（取付片）
１２ｃ  抱持片の先端側と反対側の係止穴
１２ｃ１  係止片
１２ｄ  抱持片の先端側の係止穴
１２ｄ１  係止片
１２ｅ  スリーブバネのコンタクト片
１２ｅｐ  コンタクト片のコンタクト部
１２ｅｔ  当接部
１５    ハウジング
１６ａ  端子部用凹部
１６ｂ  抱持片用凹部（取付片用凹部）
１６ｂｃ  抱持片の先端側の先端連続凹部
１６ｃ  コンタクト片用凹部
１６ｃｈ  コンタクト片導入口
１６ｄ  端子部側延長部用凹部
１６ｄｃ  端子部側延長部用凹部の先端の先端連続凹部
【図１】
0004493703.tif 000002
【図２】
0004493703.tif 000003
【図３】
0004493703.tif 000004
【図４】
0004493703.tif 000005
【図５】
0004493703.tif 000006
【図６】
0004493703.tif 000007
【図７】
0004493703.tif 000008
【図８】
0004493703.tif 000009